(57)【要約】【課題】  他方向パイプが主クランパに衝止しないようにし、屋根の構築や軒の構築などを容易に行なうことができるようにし、簡易ハウスの構築の自由度を向上させる。【解決手段】  １本の一方向パイプＰ（Ａ）と一方向パイプの軸線に直交する１つの平面上に軸線を有して配設される少なくとも２本以上の他方向パイプＰ（Ｂ）とが交差する連結部に用いられ、一方向パイプをクランプする１つの主クランパ１Ａと、他方向パイプをクランプする複数の従クランパ１Ｂと、各クランパ１Ａ，１Ｂが固定されるプレート２０とを備え、主クランパ１Ａをプレート２０の裏面２０Ａ側に位置するようにプレート２０に一体に固定し、従クランパ１Ｂがプレート２０の表面２０Ｂ側に位置するようにプレート２０に取付けられるようにした。【選択図】  図１
2007321506.tif 000002
【特許請求の範囲】
【請求項１】
パイプが連結されて組み立てられる簡易ハウスの骨組みの連結部であって１本の一方向パイプと該一方向パイプの軸線に直交する１つの平面上に軸線を有して配設され少なくとも２本以上の他方向パイプとが交差する連結部に用いられ、各パイプを固定片及び該固定片に回動可能に設けられる可動片を有したクランプ部で挾持してクランプする複数のクランパと、該各クランパが固定され上記一方向パイプの軸線に直交する面を有したプレートとを備えた簡易ハウスの骨組み用連結金具において、
上記クランパとして、上記一方向パイプをクランプする１つの主クランパと、上記他方向パイプをクランプする複数の従クランパとを備え、
上記主クランパを該主クランパが上記プレートの裏面側に位置するように該主クランパのクランプ部の固定片において上記プレートに一体に固定し、
上記各従クランパの固定片に、該従クランパが上記プレートの表面側に位置するように上記プレートに取付けられる被取付部を設け、
上記プレートに、上記各従クランパの被取付部が着脱可能に取付けられる複数の従クランパ取付部を備えて構成し、該複数の従クランパ取付部のうち少なくとも１つを上記従クランパがクランプする他方向パイプの軸線方向を可変可能に形成したことを特徴とする簡易ハウスの骨組み用連結金具。
【請求項２】
上記従クランパ取付部の少なくとも１つを、上記主クランパにクランプした一方向パイプの外周面と、上記従クランパにクランプした他方向パイプの外周面とが接触するように、上記プレートに設けたことを特徴とする請求項１記載の簡易ハウスの骨組み用連結金具。
【請求項３】
上記従クランパ取付部として、第１及び第２従クランパ取付部を備え、該第１及び第２従クランパ取付部を、上記主クランパがクランプする一方向パイプの軸線に直交する１つの中心軸に対して左右対称に設けるとともに、該第１及び第２従クランパ取付部に取付けられる従クランパがクランプする他方向パイプの軸線方向を可変可能に上記プレートに形成したことを特徴とする請求項１記載の簡易ハウスの骨組み用連結金具。
【請求項４】
上記第１及び第２従クランパ取付部を、該第１及び第２従クランパ取付部に取付けられる従クランパが夫々クランプする一対の他方向パイプの軸線方向のなす角度が所定角度範囲で可変になるように上記プレートに形成したことを特徴とする請求項３記載の簡易ハウスの骨組み用連結金具。
【請求項５】
上記第１及び第２従クランパ取付部を、上記主クランパにクランプした一方向パイプの外周面と、上記第１及び第２従クランパ取付部に取付けられる従クランパにクランプした他方向パイプの外周面とが接触するように、上記プレートに形成したことを特徴とする請求項３または４記載の簡易ハウスの骨組み用連結金具。
【請求項６】
上記従クランパ取付部として、第３従クランパ取付部を備え、該第３従クランパ取付部を、上記主クランパがクランプする一方向パイプの軸線に直交する１つの中心軸上に設けたことを特徴とする請求項３乃至５何れかに記載の簡易ハウスの骨組み用連結金具。
【請求項７】
上記従クランパ取付部として、第１乃至第３従クランパ取付部を備え、該第１従クランパ取付部を、該第１従クランパ取付部に取付けられる従クランパがクランプする他方向パイプの軸線方向を可変可能に上記プレートに形成し、上記第２及び第３従クランパ取付部を、該第２及び第３従クランパ取付部に取付けられる従クランパがクランプする一対の他方向パイプの軸線同士が所定角度の位置関係になるように上記プレートに形成したことを特徴とする請求項１または２記載の簡易ハウスの骨組み用連結金具。
【請求項８】
上記第１従クランパ取付部を、上記主クランパにクランプした一方向パイプの外周面と、上記第１従クランパ取付部に取付けられる従クランパにクランプした他方向パイプの外周面とが接触するように、上記プレートに形成したことを特徴とする請求項７記載の簡易ハウスの骨組み用連結金具。
【請求項９】
上記クランパのクランプ部を、上記プレート側に固定され内側にパイプの外周が当接可能な略半円弧状の当接部を有した固定片と、該固定片の一端に当該クランパがクランプするパイプの軸線と平行な軸線を回動軸とするヒンジを介して一端が回動可能に設けられるとともにパイプの外周が当接可能な略半円弧状の当接部を有し上記固定片と共働して該パイプを挾持する可動片と、上記固定片の他端に基端部が回動可能に設けられたクランプボルトと、上記可動片の他端に突出形成され上記クランプボルトの先端部側が係脱可能なＵ字状の係合部と、上記クランプボルトに螺合し締め付けにより上記係合部に当接して該クランプボルトの係合部に対する係合をロックするロックナットとを備えて構成したことを特徴とする請求項１乃至８何れかに記載の簡易ハウスの骨組み用連結金具。
【請求項１０】
上記従クランパの被取付部を、上記従クランプ部の固定片から突設された固定ボルトと、該固定ボルトに螺合され該固定ボルトを上記プレートに固定するための固定ナットと、上記クランプ部から突設された位置決めピンとを備えて構成し、上記プレートの各取付部を、上記プレートに設けられ上記固定ボルトが挿入可能なボルト挿入孔及び位置決めピンが挿入可能なピン挿入孔を備えて構成したことを特徴とする請求項１乃至９何れかに記載の簡易ハウスの骨組み用連結金具。
【請求項１１】
上記従クランパ取付部を、上記プレートに設けられ上記固定ボルトが挿入可能なボルト挿入孔及び位置決めピンが挿入可能なピン挿入孔の組を複数組み備えて構成したことを特徴とする請求項１０記載の簡易ハウスの骨組み用連結金具。
【請求項１２】
上記位置決めピンを、上記従クランパの固定片に形成したエンボスで構成したことを特徴とする請求項１０または１１記載の簡易ハウスの骨組み用連結金具。
【請求項１３】
上記固定ボルトを、上記従クランパの固定片に回転不能に係合させて固定したことを特徴とする請求項１０乃至１２何れかに記載の簡易ハウスの骨組み用連結金具。
【発明の詳細な説明】
【技術分野】
【０００１】
本発明は、ビニールハウスやプレハブ等の簡易ハウスであってパイプが連結されて組み立てられる簡易ハウスの骨組みのために用いられる簡易ハウスの骨組み用連結金具に係り、特に、３本以上のパイプが交差する連結部に用いられる簡易ハウスの骨組み用連結金具に関する。
【背景技術】
【０００２】
一般に、ビニールハウスやプレハブ等の簡易ハウスにおいては、例えば、図１４に示すように、鋼等の金属製のパイプＰを連結して、骨組みＴを構築し、それから、この骨組みＴに樹脂シートを被覆しあるいはベニヤ板などを付設して構築することを行なう。
【０００３】
連結部としては、例えば、屋根の頂部（尾根）を構成する一方向パイプＰ（Ａ１）と、小屋組を構成し屋根の傾斜に沿う一対の他方向パイプＰ（Ｂ１，Ｂ２）と、小屋組を構成する横梁のパイプＰ（Ｂ４）に立設される縦梁の他方向パイプＰ（Ｂ３）が交差する屋根の頂部端部Ｊ１がある。
また、連結部の他の例としては、例えば、屋根の裾縁を構成する一方向パイプＰ（Ａ２）と、小屋組を構成し屋根の傾斜に沿う一本の他方向パイプＰ（Ｂ１またはＢ２）と、小屋組を構成する横梁の他方向パイプＰ（Ｂ４）と、土台（地面）から立ち上がって柱を構成する他方向パイプＰ（Ｂ５）が交差する屋根の裾縁端部Ｊ２，Ｊ３がある。
【０００４】
従来、図１４に示すように、本願出願人が先に提案したもので、上記の簡易ハウスの骨組みＴの連結部において、頂部端部Ｊ１及び裾縁端部Ｊ２，Ｊ３用の簡易ハウスの骨組み用連結金具Ｓａがある（特開２００５−２９０８１５号公報（特許文献１））。
この連結金具Ｓａは、１本の一方向パイプＰ（Ａ）と一方向パイプの軸線に直交する１つの平面上に軸線を有して配設される３本の他方向パイプＰ（Ｂ）とが交差する連結部に用いられ、一方向パイプＰ（Ａ）をクランプする１つの主クランパ１Ａと、他方向パイプＰ（Ｂ）をクランプする３つの従クランパ１Ｂと、各クランパ１Ａ，１Ｂが固定されるプレート２０とを備え、プレート２０に、各従クランパ１Ｂがクランプする他方向パイプＰ（Ｂ）の軸線方向を可変に従クランパ１Ｂの被取付部が着脱可能に取付けられる従クランパ取付部（図示せず）を備えて構成されている。各従クランパ１Ｂは、３本の他方向パイプＰ（Ｂ）の軸線が一方向パイプＰ（Ａ）の軸線に直交するようにプレート２０に設けられるとともに、各クランパ１Ａ，１Ｂは、プレート２０の裏面側に突出して設けられている。
【０００５】
これにより、頂部端部Ｊ１において、また、裾縁端部Ｊ２（Ｊ３）において、他方向パイプの傾斜に合わせて従クランパの固定位置を各々変えることができるので、クランパの角度調整の自由度が増し、また、パイプをクランパにクランプするだけで各パイプの連結を行なうことができるので、組み立て作業が容易に行なわれ、作業性を向上させることができる。
【０００６】
【特許文献１】特開２００５−２９０８１５号公報
【発明の開示】
【発明が解決しようとする課題】
【０００７】
ところで、上記従来の簡易ハウスの骨組み用連結金具においては、各従クランパ１Ｂは、３本の他方向パイプＰ（Ｂ）の軸線が一方向パイプＰ（Ａ）の軸線に直交するようにプレート２０に設けられるとともに、各クランパ１Ａ，１Ｂは、プレート２０の裏面側に突出して設けられているので頂部端部Ｊ１においては、屋根を構成する一対の他方向パイプＰ（Ｂ）が主クランパ１Ａに衝止してしまい、そのため、屋根の頂部（尾根）を構成する一方向パイプＰ（Ａ１）と他方向パイプＰ（Ｂ）との間に隙間が生じ、屋根材の付設が十分に行なわれにくいという問題があった。また、裾縁端部Ｊ２，Ｊ３においては、屋根を構成する他方向パイプＰ（Ｂ）が主クランパ１Ａに衝止してしまい、そのため、他方向パイプＰ（Ｂ）を延設できないので、軒Ｎ（２点鎖線）を形成することができないという問題があった。軒Ｎを形成できないと、出入口や窓の設置も制限されてしまう。
また、頂部端部Ｊ１と裾縁端部Ｊ２，Ｊ３との間において、屋根を構成する他方向パイプＰ（Ｂ）の両端が主クランパ１Ａに衝止してしまうので、パイプの長さをある程度厳密に切断しなければならないことになり、それだけ、組付け作業が煩雑になってしまうという問題もあった。
【０００８】
本発明は上記の問題点に鑑みて為されたもので、他方向パイプが主クランパに衝止しないようにし、屋根の構築や軒の構築などを容易に行なうことができるようにし、簡易ハウスの構築の自由度を向上させるようにした簡易ハウスの骨組み用連結金具を提供することを目的とする。
【課題を解決するための手段】
【０００９】
上記課題を解決するため、本発明の簡易ハウスの骨組み用連結金具は、パイプが連結されて組み立てられる簡易ハウスの骨組みの連結部であって１本の一方向パイプと該一方向パイプの軸線に直交する１つの平面上に軸線を有して配設され少なくとも２本以上の他方向パイプとが交差する連結部に用いられ、各パイプを固定片及び該固定片に回動可能に設けられる可動片を有したクランプ部で挾持してクランプする複数のクランパと、該各クランパが固定され上記一方向パイプの軸線に直交する面を有したプレートとを備えた簡易ハウスの骨組み用連結金具において、
上記クランパとして、上記一方向パイプをクランプする１つの主クランパと、上記他方向パイプをクランプする複数の従クランパとを備え、上記主クランパを該主クランパが上記プレートの裏面側に位置するように該主クランパのクランプ部の固定片において上記プレートに一体に固定し、上記各従クランパの固定片に、該従クランパが上記プレートの表面側に位置するように上記プレートに取付けられる被取付部を設け、上記プレートに、上記各従クランパの被取付部が着脱可能に取付けられる複数の従クランパ取付部を備えて構成し、該複数の従クランパ取付部のうち少なくとも１つを上記従クランパがクランプする他方向パイプの軸線方向を可変可能に形成した構成としている。
【００１０】
これにより、パイプの連結を行なうときは、予め主クランパが一体に固定されたプレートにおいて、他方向パイプに対応して、従クランパの被取付部を、プレートの従クランパ取付部に取付ける。この際、他方向パイプの軸線方向を可変可能な従クランパ取付部においては、他方向パイプの傾斜に合わせて、従クランパ取付部の角度位置を選択して、従クランパをプレートに固定する。この場合、他方向パイプの傾斜に合わせて従クランパの固定位置を変えるだけで角度調整できるので、作業が極めて容易に行なわれる。また、全ての従クランパ取付部を他方向パイプの軸線方向を可変可能に形成すれば、種々の連結部に用いることができ、汎用性が増す。
【００１１】
そして、この連結金具を、連結部位に位置させ、各クランパに対応するパイプを挿入してクランプする。この場合、パイプをクランパにクランプするだけで各パイプの連結を行なうことができるので、作業が極めて簡単に行なわれる。また、この場合、主クランパは、プレートの裏面側に位置し、従クランパはプレートの表面側に位置しているので、従クランパに挿通させたパイプが主クランパに衝止することがなく、そのため、パイプの長さを厳密に切断しなくてもよく、それだけ、組付け作業が容易に行なわれる。また、組み上った後において、一方向パイプと他方向パイプとの間に隙間が生じにくく、そのため、屋根材等の付設を確実に行なうことができるようになる。更に、本連結金具を、例えば、屋根の裾縁端部の連結に用いる場合には、屋根の傾斜に沿う一本の他方向パイプが、主クランパに衝止することがないので、他方向パイプを延設でき、そのため、軒を形成することができるようになる。そのため、雨よけができることから出入口や窓の設置も容易になる。
【００１２】
そして、必要に応じ、上記従クランパ取付部の少なくとも１つを、上記主クランパにクランプした一方向パイプの外周面と、上記従クランパにクランプした他方向パイプの外周面とが接触するように、上記プレートに設けた構成としている。パイプ同士を接触させることができるので、互いに支承したり支持する関係を形成できるようになり、パイプの組付け強度を増加させることができる。
【００１３】
また、必要に応じ、上記従クランパ取付部として、第１及び第２従クランパ取付部を備え、該第１及び第２従クランパ取付部を、上記主クランパがクランプする一方向パイプの軸線に直交する１つの中心軸に対して左右対称に設けるとともに、該第１及び第２従クランパ取付部に取付けられる従クランパがクランプする他方向パイプの軸線方向を可変可能に上記プレートに形成した構成としている。例えば、屋根の頂部（尾根）を構成する一方向パイプと、小屋組を構成し屋根の傾斜に沿う一対の他方向パイプと、小屋組を構成する横梁のパイプに立設される縦梁の他方向パイプが交差する屋根の頂部端部に容易に適用できるようになる。また、第１及び第２従クランパ取付部が左右対称に設けられているので、小屋組を構成し屋根の傾斜に沿う一対のパイプを連結する場合などに、左右のバランスをとって角度調整でき、より一層、作業が容易に行なわれる。また、連結部の構造が単純化され、その後の外装材の取付が容易にできるようになり、また、外観品質が大幅に向上させられる。
【００１４】
この場合、必要に応じ、上記第１及び第２従クランパ取付部を、該第１及び第２従クランパ取付部に取付けられる従クランパが夫々クランプする一対の他方向パイプの軸線方向のなす角度が所定角度範囲で可変になるように上記プレートに形成したことが有効である。従クランパを角度調整できるので、小屋組を構成し屋根の傾斜に沿う一対のパイプを連結する場合などに、角度調整が容易になり、より一層、作業が容易に行なわれるとともに、一方向パイプに対する他方向パイプの角度関係を正規の状態に保持することができる。
【００１５】
また、必要に応じ、上記第１及び第２従クランパ取付部を、上記主クランパにクランプした一方向パイプの外周面と、上記第１及び第２従クランパ取付部に取付けられる従クランパにクランプした他方向パイプの外周面とが接触するように、上記プレートに形成した構成としている。屋根の頂部端部に用いた場合には、主クランパにクランプした一方向パイプに対して、第１及び第２従クランパ取付部に取付けられる従クランパにクランプした他方向パイプを支承したり支持する関係を形成できるようになり、パイプの組付け強度を増加させることができる。
【００１６】
また、必要に応じ、上記従クランパ取付部として、第３従クランパ取付部を備え、該第３従クランパ取付部を、上記主クランパがクランプする一方向パイプの軸線に直交する１つの中心軸上に設けた構成としている。４本以上のパイプの連結を行なうことができるようになり、汎用性を大幅に向上させることができる。
【００１７】
そしてまた、必要に応じ、上記従クランパ取付部として、第１乃至第３従クランパ取付部を備え、該第１従クランパ取付部を、該第１従クランパ取付部に取付けられる従クランパがクランプする他方向パイプの軸線方向を可変可能に上記プレートに形成し、上記第２及び第３従クランパ取付部を、該第２及び第３従クランパ取付部に取付けられる従クランパがクランプする一対の他方向パイプの軸線同士が所定角度の位置関係になるように上記プレートに形成した構成としている。例えば、屋根の裾縁を構成する一方向パイプと、小屋組を構成し屋根の傾斜に沿う一本の他方向パイプと、小屋組を構成する横梁の他方向パイプと、土台（地面）から立ち上がって柱を構成する他方向パイプが交差する屋根の裾縁端部に容易に適用できるようになる。この場合、特に、屋根の裾縁端部の連結に用いる場合には、屋根の傾斜に沿う一本の他方向パイプが、主クランパに衝止することがないので、他方向パイプを延設でき、そのため、軒を形成することができるようになる。そのため、雨よけができることから出入口や窓の設置も容易になる。
【００１８】
この場合、必要に応じ、上記第１従クランパ取付部を、上記主クランパにクランプした一方向パイプの外周面と、上記第１従クランパ取付部に取付けられる従クランパにクランプした他方向パイプの外周面とが接触するように、上記プレートに形成した構成としている。屋根の裾縁端部に用いた場合には、主クランパにクランプした一方向パイプに対して、第１従クランパ取付部に取付けられる従クランパにクランプした他方向パイプを支承したり支持する関係を形成できるようになり、パイプの組付け強度を増加させることができる。
【００１９】
また、必要に応じ、上記クランパのクランプ部を、上記プレート側に固定され内側にパイプの外周が当接可能な略半円弧状の当接部を有した固定片と、該固定片の一端に当該クランパがクランプするパイプの軸線と平行な軸線を回動軸とするヒンジを介して一端が回動可能に設けられるとともにパイプの外周が当接可能な略半円弧状の当接部を有し上記固定片と共働して該パイプを挾持する可動片と、上記固定片の他端に基端部が回動可能に設けられたクランプボルトと、上記可動片の他端に突出形成され上記クランプボルトの先端部側が係脱可能なＵ字状の係合部と、上記クランプボルトに螺合し締め付けにより上記係合部に当接して該クランプボルトの係合部に対する係合をロックするロックナットとを備えて構成している。パイプを固定片と可動片の間に挿入しロックナットを締め付けるだけでパイプをクランプできるので、クランプを容易に行なうことができる。
【００２０】
更に、必要に応じ、上記従クランパの被取付部を、上記従クランプ部の固定片から突設された固定ボルトと、該固定ボルトに螺合され該固定ボルトを上記プレートに固定するための固定ナットと、上記クランプ部から突設された位置決めピンとを備えて構成し、上記プレートの各取付部を、上記プレートに設けられ上記固定ボルトが挿入可能なボルト挿入孔及び位置決めピンが挿入可能なピン挿入孔を備えて構成している。固定ボルトと位置決めピンとを、従クランパ取付部のボルト挿入孔及びピン挿入孔に挿入し、固定ナットを固定ボルトに締め付けて、従クランパをプレートに固定するので、従クランパを位置決めピンで位置決めして固定することができ、確実に位置決め固定することができる。
【００２１】
更にまた、必要に応じ、上記従クランパ取付部を、上記プレートに設けられ上記固定ボルトが挿入可能なボルト挿入孔及び位置決めピンが挿入可能なピン挿入孔の組を複数組み備えて構成している。ボルト挿入孔とピン挿入孔の位置関係により、種々の角度範囲に対応することができるようになり、より一層汎用性を向上させることができる。
【００２２】
また、必要に応じ、上記位置決めピンを、上記従クランパの固定片に形成したエンボスで構成している。エンボスを位置決めピンとするので、プレス成形などで容易に形成できるとともに、別途位置決めピンを設ける場合に比較して、部品点数が削減されることから、製造コストを低減できる。
【００２３】
更にまた、上記固定ボルトを、上記従クランパの固定片に回転不能に係合させて固定した構成としている。固定ボルトを従クランパの固定片に係合するので、固定ボルトの取り付けが容易で確実になり、溶接で固定する場合に比較して、大幅に製造コストを削減できる。
【発明の効果】
【００２４】
本発明の簡易ハウスの骨組み用連結金具によれば、主クランパをプレートの裏面側に位置するようにプレートに一体に固定し、従クランパをプレートの表面側に位置するようにプレートに取付けられるようにしたので、従クランパに挿通させたパイプが主クランパに衝止することがなく、そのため、パイプの長さを厳密に切断しなくてもよく、それだけ、組付け作業を容易に行なうことができるようになる。また、組み上った後において、一方向パイプと他方向パイプとの間に隙間が生じにくく、そのため、屋根材等の付設を確実に行なうことができるようになる。更に、本連結金具を、例えば、屋根の裾縁端部の連結に用いる場合には、屋根の傾斜に沿う一本の他方向パイプが、主クランパに衝止することがないので、他方向パイプを延設できるようになり、軒を形成することができるようになる、そのため、雨よけができることから出入口や窓の設置も容易になる。
【００２５】
また、プレートに、各従クランパの被取付部が着脱可能に取付けられる複数の従クランパ取付部を備えて構成し、複数の従クランパ取付部のうち少なくとも１つを従クランパがクランプする他方向パイプの軸線方向を可変可能に形成したので、他方向パイプの軸線方向を可変可能な従クランパ取付部においては、他方向パイプの傾斜に合わせて、従クランパ取付部の角度位置を選択して、従クランパをプレートに固定することができる。この場合、他方向パイプの傾斜に合わせて従クランパの固定位置を変えるだけで角度調整できるので、作業を極めて容易に行なうことができるようになる。
【発明を実施するための最良の形態】
【００２６】
以下、添付図面に基づいて、本発明の実施の形態に係る簡易ハウスの骨組み用連結金具について詳細に説明する。尚、上記と同様のものには同一の符号を付して説明する。図１乃至図５には、本発明の第一の実施の形態に係る連結金具Ｓ１を示し、図６乃至図８には、本発明の第二の実施の形態に係る連結金具Ｓ２を示し、図９には、本発明の第三の実施の形態に係る連結金具Ｓ３を示している。
【００２７】
本発明の第一乃至第三の実施の形態に係る連結金具Ｓ１，Ｓ２，Ｓ３が適用される簡易ハウスは、図１３に示すように、鋼等の金属製のパイプＰを連結して、骨組みＴを構築し、それから、この骨組みＴに樹脂シートを被覆しあるいはベニヤ板などを付設して構築される。
簡易ハウスの骨組みＴの連結部としては、種々の形態のもの（Ｊ１〜Ｊ９等）があるが。例えば、屋根の頂部（尾根）を構成する一方向パイプＰ（Ａ１）と、小屋組を構成し屋根の傾斜に沿う一対の他方向パイプＰ（Ｂ１，Ｂ２）と、小屋組を構成する横梁のパイプＰ（Ｂ４）に立設される縦梁の他方向パイプＰ（Ｂ３）が交差する屋根の頂部端部Ｊ１がある。
また、例えば、屋根の裾縁を構成する一方向パイプＰ（Ａ２）と、小屋組を構成し屋根の傾斜に沿う一本の他方向パイプＰ（Ｂ１またはＢ２）と、小屋組を構成する横梁の他方向パイプＰ（Ｂ４）と、土台（地面）から立ち上がって柱を構成する他方向パイプＰ（Ｂ５）が交差する屋根の裾縁端部Ｊ２，Ｊ３がある。
【００２８】
次に、先ず、本発明の第一の実施の形態に係る連結金具Ｓ１について説明する。これは、上記の連結部のうち、頂部端部Ｊ１に適用されるものである。
この第一の実施の形態に係る連結金具Ｓ１は、図１乃至図５に示すように、１本の一方向パイプＰ（Ａ）と一方向パイプＰ（Ａ）の軸線Ｘに直交する１つの平面Ｚ（図３（ｂ））上に軸線を有して配設される少なくとも２本以上（実施の形態では３本）の他方向パイプＰ（Ｂ）とが交差する連結部としての頂部端部Ｊ１に用いられ、各パイプＰをクランプする複数のクランパ１（１Ａ，１Ｂ）と、各クランパ１が固定され一方向パイプＰ（Ａ）の軸線に直交する面を有したプレート２０とを備えて構成されている。
【００２９】
クランパ１として、一方向パイプＰ（Ａ）をクランプする１つの主クランパ１Ａと、他方向パイプＰ（Ｂ）をクランプする複数の従クランパ１Ｂとが備えられている。
各クランパ１は、パイプＰをクランプするクランプ部２を有している。クランパ１のクランプ部２は、プレート２０側に固定され内側にパイプＰの外周が当接可能な略半円弧状の当接部３ａを有した固定片３と、固定片３の一端に当該クランパ１がクランプするパイプＰの軸線と平行な軸線を回動軸とするヒンジ４を介して一端が回動可能に設けられるとともにパイプＰの外周が当接可能な略半円弧状の当接部５ａを有し固定片３と共働してパイプＰを挾持する可動片５と、固定片３の他端に基端部が回動可能に設けられたクランプボルト６と、可動片５の他端に突出形成されクランプボルト６の先端部側が係脱可能なＵ字状の係合部７と、クランプボルト６に螺合し締め付けにより係合部７に当接してクランプボルト６の係合部７に対する係合をロックするロックナット８と備えて構成されている。
【００３０】
主クランパ１Ａは、主クランパ１Ａがプレート２０の裏面２０Ａ側に位置するように、そのクランプ部２の固定片３においてプレート２０の後述のＶ字状の固定凹部２２に、溶接１０Ａにより一体に固定されている。
【００３１】
従クランパ１Ｂには、そのクランプ部２の固定片３に設けられ、従クランパ１Ｂがプレート２０の表面２０Ｂ側に位置するように、プレート２０に取付けられる被取付部１０Ｂが設けられている。
詳しくは、従クランパ１Ｂの被取付部１０Ｂは、図５に示すように、クランプ部２の固定片３から突設されクランプ部２でクランプされた他方向パイプＰ（Ｂ）の軸線と直交する方向の軸線を有する固定ボルト１３と、固定ボルト１３に螺合され固定ボルト１３をプレート２０に固定するための固定ナット１４と、固定片３から突設されクランプ部２でクランプされた他方向パイプＰ（Ｂ）の軸線と直交する方向の軸線を有する位置決めピン１５とを備えて構成されている。
【００３２】
固定ボルト１３は、六角形状のボルト頭１３ａ及び雄ネジが形成された軸部１３ｂを備えて構成されている一方、従クランパ１Ｂの固定片３には、固定ボルト１３の軸部１３ｂが挿通される穴１６が形成されている。この穴１６は、固定ボルト１３が穴１６に挿通された際に、そのボルト頭１３ａの六角形状の側面が固定片３の外縁に立設した立設壁６０に当接させられて係合し、回転不能になる位置に設けられている。固定ボルト１３を、穴１６に挿通するだけで、ボルト頭１３ａが立設壁６０に当接して回り止めされて固定されるので、固定ボルト１３の取り付けが容易で確実になり、溶接で固定する場合に比較して、大幅に製造コストを削減できる。
【００３３】
位置決めピン１５は、穴１６に対して所定間隔離れた位置に設けられており、従クランパ１ｂの固定片３に形成したエンボスで構成されている。エンボスを位置決めピン１５とするので、プレス成形などで容易に形成できるとともに、別途位置決めピンを設ける場合に比較して、部品点数が削減されることから、製造コストを低減できる。
【００３４】
また、プレート２０は、図３に示すように、Ｖ字形状に形成され、上辺の中央に、主クランパ１Ａのクランプ部２の固定片３が入り込んで溶接１０ＡされるＶ字状の固定凹部２２が形成されている。そして、主クランパ１Ａのクランプ部２の固定片３は、この固定凹部２２において溶接１０Ａにより一体に固定されている。即ち、主クランパ１Ａは、一方向パイプＰ（Ａ１）に対応してプレート２０に取付けられている。
【００３５】
更に、プレート２０は、従クランパ１Ｂの被取付部１０Ｂが着脱可能に取付けられる従クランパ取付部３０を備えて構成されている。
詳しくは、従クランパ取付部３０として、第１及び第２従クランパ取付部３０Ａ，３０Ｂを備えている。第１及び第２従クランパ取付部３０Ａ，３０Ｂは、主クランパ１Ａがクランプする一方向パイプＰ（Ａ）の軸線Ｘに直交する１つの中心軸Ｑに対して左右対称に設けられており、従クランパ１Ｂがクランプする他方向パイプＰ（Ｂ１），Ｐ（Ｂ２）の軸線方向を可変可能に形成されている。
【００３６】
第１及び第２従クランパ取付部３０Ａ，３０Ｂは、第１及び第２従クランパ取付部３０Ａ，３０Ｂに取付けられる従クランパ１Ｂが夫々クランプする一対の他方向パイプＰ（Ｂ）の軸線方向のなす角度が所定角度範囲で可変になるように、かつ、クランパ１Ｂの被取付部１０Ｂが着脱可能になるようにプレート２０に形成されている。また、第１及び第２従クランパ取付部３０Ａ，３０Ｂは、主クランパ１Ａにクランプした一方向パイプＰ（Ａ）の外周面と、第１及び第２従クランパ取付部３０Ａ，３０Ｂに取付けられる従クランパ１Ｂにクランプした他方向パイプＰ（Ｂ）の外周面とが接触するように、プレート２０に形成されている。
【００３７】
詳しくは、第１及び第２従クランパ取付部３０Ａ，３０Ｂは、プレート２０に設けられ固定ボルト１３が挿入可能なボルト挿入孔２３及び位置決めピン１５が挿入可能なピン挿入孔２４の組を備えて構成されている。そして、この第１及び第２従クランパ取付部３０Ａ，３０Ｂにおいて、ボルト挿入孔２３及びピン挿入孔２４の組は、所定角度関係で複数組設けられている。
実施の形態では、ボルト挿入孔２３及びピン挿入孔２４の組は、数種の屋根の勾配にあわせて、左右に夫々２組ずつ互いに対称に設けられている。
【００３８】
また、従クランパ取付部３０として、第３従クランパ取付部３０Ｃが備えられている。この第３従クランパ取付部３０Ｃは、主クランパ１Ａがクランプする一方向パイプＰ（Ａ）の軸線Ｘに直交する１つの中心軸Ｑ上に設けられ、従クランパ１Ｂがクランプする他方向パイプＰ（Ｂ３）を所定方向に保持可能に形成されている。第３従クランパ取付部３０Ｃにおいては、従クランパ１Ｂの被取付部１０Ｂが着脱可能になるように構成されている。第３従クランパ取付部３０Ｃは、プレート２０に設けられ固定ボルト１３が挿入可能なボルト挿入孔２３及び位置決めピン１５が挿入可能なピン挿入孔２４を備えて構成されている。
【００３９】
次に、本発明の第二の実施の形態に係る連結金具Ｓ２について説明する。これは、上記の連結部のうち、頂部端部Ｊ２に適用されるものである。
この第二の実施の形態に係る連結金具Ｓ２は、図６乃至図８に示すように、１本の一方向パイプＰ（Ａ）と一方向パイプＰ（Ａ）の軸線Ｘに直交する１つの平面Ｚ（図８（ｂ））上に軸線を有して配設される少なくとも２本以上（実施の形態では３本）の他方向パイプＰ（Ｂ）とが交差する連結部としての頂部端部Ｊ２に用いられ、各パイプＰをクランプする複数のクランパ１（１Ａ，１Ｂ）と、各クランパ１が固定され一方向パイプＰ（Ａ）の軸線に直交する面を有したプレート２０とを備えて構成されている。
【００４０】
クランパ１として、一方向パイプＰ（Ａ）をクランプする１つの主クランパ１Ａと、他方向パイプＰ（Ｂ）をクランプする複数の従クランパ１Ｂとが備えられており、その構成は、上記第一の実施の形態で示したものと同様である。
【００４１】
主クランパ１Ａは、図４及び図６に示すように、主クランパ１Ａがプレート２０の裏面２０Ａ側に位置するように、そのクランプ部２の固定片３においてプレート２０の後述のＬ字状の固定凹部２２に、溶接１０Ａにより一体に固定されている。
【００４２】
従クランパ１Ｂには、そのクランプ部２の固定片３に設けられ、従クランパ１Ｂがプレート２０の表面２０Ｂ側に位置するように、プレート２０に取付けられる被取付部１０Ｂが設けられている。従クランパ１Ｂの被取付部１０Ｂは、上記第一の実施の形態で示したもの（図５）と同様である。
【００４３】
また、プレート２０は、図８に示すように、略Ｌ字形状に形成され、中央に、主クランパ１Ａのクランプ部２の固定片３が入り込んで溶接１０ＡされるＬ字状の固定凹部２２が形成されている。そして、主クランパ１Ａのクランプ部２の固定片３は、この固定凹部２２において溶接１０Ａにより一体に固定されている。即ち、主クランパ１Ａは、一方向パイプＰ（Ａ２）に対応してプレート２０に取付けられている。
【００４４】
更に、プレート２０は、従クランパ１Ｂの被取付部１０Ｂが着脱可能に取付けられる従クランパ取付部３０を備えて構成されている。
詳しくは、従クランパ取付部３０として、図８に示すように、第１従クランパ取付部３０Ａを備えている。第１従クランパ取付部３０Ａは、従クランパ１Ｂがクランプする他方向パイプＰ（Ｂ１）の軸線方向を可変可能に形成されている。
【００４５】
第１従クランパ取付部３０Ａは、第１従クランパ取付部３０Ａに取付けられる従クランパ１Ｂがクランプする他方向パイプＰ（Ｂ）の軸線方向のなす角度が所定角度範囲で可変になるように、かつ、クランパ１Ｂの被取付部１０Ｂが着脱可能になるようにプレート２０に形成されている。また、第１従クランパ取付部３０Ａは、主クランパ１Ａにクランプした一方向パイプＰ（Ａ）の外周面と、第１従クランパ取付部３０Ａに取付けられる従クランパ１Ｂにクランプした他方向パイプＰ（Ｂ）の外周面とが接触するように、プレート２０に形成されている。
【００４６】
詳しくは、第１従クランパ取付部３０Ａは、プレート２０に設けられ固定ボルト１３が挿入可能なボルト挿入孔２３及び位置決めピン１５が挿入可能なピン挿入孔２４の組を備えて構成されている。そして、この第１従クランパ取付部３０Ａにおいて、ボルト挿入孔２３及びピン挿入孔２４の組は、所定角度関係で複数組設けられている。
実施の形態では、ボルト挿入孔２３及びピン挿入孔２４の組は、数種の屋根の勾配にあわせて、２組設けられている。
【００４７】
また、従クランパ取付部３０として、第２及び第３従クランパ取付部３０Ｂ，３０Ｃが備えられている。第２及び第３従クランパ取付部３０Ｂ，３０Ｃは、第２及び第３従クランパ取付部３０Ｂ，３０Ｃに取付けられる従クランパ１Ｂがクランプする一対の他方向パイプＰ（Ｂ４），Ｐ（Ｂ５）の軸線同士が所定角度の位置関係になるように、具体的には、一対の他方向パイプＰ（Ｂ４），Ｐ（Ｂ５）の軸線同士が直交するように、プレート２０に形成されている。第２従クランパ取付部３０Ｂは、主クランパ１Ａがクランプする一方向パイプＰ（Ａ）の軸線Ｘに直交する１つの中心軸Ｑ上に設けられている。第３従クランパ取付部３０Ｃは、中心軸Ｑに直交する軸線Ｒ上に設けられている。第２及び第３従クランパ取付部３０Ｂ，３０Ｃにおいては、従クランパ１Ｂの被取付部１０Ｂが着脱可能になるように構成されている。第２及び第３従クランパ取付部３０Ｂ，３０Ｃは、プレート２０に設けられ固定ボルト１３が挿入可能なボルト挿入孔２３及び位置決めピン１５が挿入可能なピン挿入孔２４を備えて構成されている。
【００４８】
図９には、本発明の第三の実施の形態に係る連結金具Ｓ３におけるプレート２０が示されている。第三の実施の形態に係る連結金具Ｓ３は、上記の連結部のうち、頂部端部Ｊ３に適用されるものであり、上記第２の実施の形態に係る連結金具Ｓ２とは、プレート２０が鏡面対称に形成されている点が異なっており、他の構成は、第２の実施の形態に係る連結金具Ｓ２と同様である。
【００４９】
また、図１０乃至図１２には、本発明の第一乃至第三の実施の形態に係る連結金具Ｓ１，Ｓ２，Ｓ３が適用される簡易ハウスにおいて、他の連結部に用いられる連結金具Ｓ４〜Ｓ９を示す。各連結金具Ｓ４〜Ｓ９には、連結するパイプＰの数に応じて、上記の従クランパ１Ｂが着脱可能に取付けられるように、プレートにその固定ボルト１３が挿入可能なボルト挿入孔２３及び位置決めピン１５が挿入可能なピン挿入孔２４の組を複数備えて構成されている。
図１０に示す連結金具Ｓ４は、図１３中連結部Ｊ４を連結する。図１１（ａ）に示す連結金具Ｓ５は、図１３中連結部Ｊ５を連結する。図１１（ｂ）に示す連結金具Ｓ６は、図１３中連結部Ｊ６を連結する。図１１（ｃ）に示す連結金具Ｓ７は、図１３中連結部Ｊ７を連結する。図１２（ａ）に示す連結金具Ｓ８は、図１３中連結部Ｊ８を連結する。図１２（ｂ）に示す連結金具Ｓ９は、図１３中連結部Ｊ９を連結する。その他、連結部に対応して、従クランパ１Ｂが着脱可能に取付けられる連結金具を設けてよい。
尚、筋違い等のパイプＰの角度が不定の接続部においては、適宜のプレートを用いるとともに、上記の従クランパ１Ｂにおいて位置決めピン１５のない角度調整自在なクランパ（図示せず）を用い、適宜パイプＰの角度に合わせて対応するようにしている。
【００５０】
従って、本発明の実施の形態に係る連結金具Ｓ１，Ｓ２，Ｓ３及び他の連結金具Ｓ４〜Ｓ９を用いて、パイプＰの連結を行なうときは、以下のようにして行なう。
図１乃至図４に示すように、先ず、例えば、屋根の頂部端部Ｊ１の連結について説明する。図１３に示すように、屋根の頂部端部Ｊ１では、屋根の頂部（尾根）を構成する一方向パイプＰ（Ａ１）と、小屋組を構成し屋根の傾斜に沿う一対の他方向パイプＰ（Ｂ１，Ｂ２）と、小屋組を構成する横梁のパイプＰ（Ｂ４）に立設される縦梁の他方向パイプＰ（Ｂ３）が交差する。
【００５１】
図１乃至図４に示すように、本発明の実施の形態に係る連結金具Ｓ１を用い、一方向パイプＰ（Ａ１）に対応して主クランパ１Ａが一体に固定されたプレート２０において、屋根の傾斜に沿う一対の他方向パイプＰ（Ｂ１，Ｂ２）に対応して、従クランパ１Ｂの被取付部１０Ｂを、第１及び第２従クランパ取付部３０Ａ，３０Ｂに取付ける。この際、他方向パイプＰ（Ｂ１，Ｂ２）の傾斜に合わせて、第１及び第２従クランパ取付部３０Ａ，３０Ｂのボルト挿入孔２３及びピン挿入孔２４を選択し、この選択したボルト挿入孔２３及びピン挿入孔２４に、従クランパ１Ｂの固定ボルト１３と位置決めピン１５とを挿入し、固定ナット１４を固定ボルト１３に締め付けて、従クランパ１Ｂをプレート２０に固定する。この場合、他方向パイプＰ（Ｂ１，Ｂ２）の傾斜に合わせて従クランパ１Ｂの固定位置を変えるだけで角度調整できるので、作業が極めて容易に行なわれる。また、一対の各従クランパ１Ｂの固定位置を変えることができるので、クランパ１の角度調整の自由度が増し、この点でも、作業が容易に行なわれる。また、第１及び第２従クランパ取付部３０Ａ，３０Ｂは、左右対称に設けられているので、小屋組を構成し屋根の傾斜に沿う一対のパイプＰに対してバランスをとって角度調整でき、より一層、作業が容易に行なわれる。更に、従クランパ１Ｂは、位置決めピン１５で位置決めされるので、確実に位置決め固定される。
【００５２】
更に、縦梁の他方向パイプＰ（Ｂ３）に対応して、従クランパ１Ｂの被取付部１０Ｂを、第３従クランパ取付部３０Ｃに取付ける。この際、固定ボルト１３と位置決めピン１５とを、第３従クランパ取付部３０Ｃのボルト挿入孔２３及びピン挿入孔２４に挿入し、固定ナット１４を固定ボルト１３に締め付けて、従クランパ１Ｂをプレート２０に固定する。この場合、従クランパ１Ｂは、位置決めピン１５で位置決めされるので、確実に位置決め固定される。
【００５３】
そして、この主クランパ１Ａ及び従クランパ１Ｂを備えた連結金具Ｓ１を、屋根の頂部端部Ｊ１に位置させ、各クランパ１に対応するパイプＰを挿入して、クランプボルト６を係合部７に係合させ、ロックナット８を締め付けて固定する。この場合、パイプＰをクランパ１に挿入してロックナット８を締め付けるだけで、各パイプＰの連結を行なうことができるので、作業が極めて簡単に行なわれる。また、この場合、主クランパ１Ａは、プレートの裏面２０Ａ側に位置し、従クランパ１Ｂはプレートの表面２０Ｂ側に位置しているので、従クランパ１Ｂに挿通させたパイプＰが主クランパ１Ａに衝止することがなく、そのため、パイプＰの長さを厳密に切断しなくてもよく、それだけ、組付け作業が容易に行われる。また、組み上がった後において、屋根の頂部（尾根）を構成する一方向パイプＰ（Ａ１）と他方向パイプＰ（Ｂ１），Ｐ（Ｂ２）との間に隙間が生じにくく、そのため、屋根材の付設を確実に行なうことができるようになる。また、主クランパ１Ａにクランプした一方向パイプＰ（Ａ１）の外周面と、従クランパ１Ｂにクランプした他方向パイプＰ（Ｂ１），Ｐ（Ｂ２）の外周面とが接触するので、一方向パイプＰ（Ａ１）に他方パイプＰ（Ｂ１），Ｐ（Ｂ２）を支承して支持する関係を形成できるようになり、それだけ、パイプＰの組付け強度を増加させることができる。
【００５４】
次に、図６乃至図８に示すように、例えば、屋根の裾縁端部Ｊ２の連結について説明する。図１３に示すように、屋根の裾縁端部Ｊ２では、屋根の裾縁を構成する一方向パイプＰ（Ａ２）と、小屋組を構成し屋根の傾斜に沿う一本の他方向パイプＰ（Ｂ１）と、小屋組を構成する横梁の他方向パイプＰ（Ｂ４）と、土台（地面）から立ち上がって柱を構成する他方向パイプＰ（Ｂ５）とが交差する。
【００５５】
図６乃至図８に示すように、本発明の第二の実施の形態に係る連結金具Ｓ２を用い、一方向パイプＰ（Ａ２）に対応して主クランパ１Ａが一体に固定されたプレート２０において、屋根の傾斜に沿う他方向パイプＰ（Ｂ１）に対応して、従クランパ１Ｂの被取付部１０Ｂを、第１従クランパ取付部３０Ａに取付ける。この際、他方向パイプＰ（Ｂ１）の傾斜に合わせて、第１従クランパ取付部３０Ａのボルト挿入孔２３及びピン挿入孔２４を選択し、この選択したボルト挿入孔２３及びピン挿入孔２４に、従クランパ１Ｂの固定ボルト１３と位置決めピン１５とを挿入し、固定ナット１４を固定ボルト１３に締め付けて、従クランパ１Ｂをプレート２０に固定する。この場合、他方向パイプＰ（Ｂ１）の傾斜に合わせて従クランパ１Ｂの固定位置を変えるだけで角度調整できるので、作業が極めて容易に行なわれる。
【００５６】
更に、柱を構成する他方向パイプＰ（Ｂ５）に対応して、従クランパ１Ｂの被取付部１０Ｂを、第２従クランパ取付部３０Ｂに取付ける。この際、第２従クランパ取付部３０Ｂのボルト挿入孔２３及びピン挿入孔２４に、従クランパ１Ｂの固定ボルト１３と位置決めピン１５とを挿入し、固定ナット１４を固定ボルト１３に締め付けて、従クランパ１Ｂをプレート２０に固定する。
【００５７】
更にまた、小屋組を構成する横梁の他方向パイプＰ（Ｂ４）に対応して、従クランパ１Ｂの被取付部１０Ｂを、第３従クランパ取付部３０Ｃに取付ける。この際、固定ボルト１３と位置決めピン１５とを、第３従クランパ取付部３０Ｃのボルト挿入孔２３及びピン挿入孔２４に挿入し、固定ナット１４を固定ボルト１３に締め付けて、従クランパ１Ｂをプレート２０に固定する。
【００５８】
そして、この主クランパ１Ａ及び従クランパ１Ｂを取付けた連結金具Ｓ２を、屋根の裾縁端部Ｊ２に位置させ、各クランパ１に対応するパイプＰを挿入して、クランプボルト６を係合部７に係合させ、ロックナット８を締め付けて固定する。この場合、パイプＰをクランパ１に挿入してロックナット８を締め付けるだけで、各パイプＰの連結を行なうことができるので、作業が極めて簡単に行なわれる。また、この場合、主クランパ１Ａは、プレート２０の裏面２０Ａ側に位置し、従クランパ１Ｂはプレートの表面２０Ｂ側に位置しているので、従クランパ１Ｂに挿通させたパイプＰが主クランパ１Ａに衝止することがなく、そのため、パイプＰの長さを厳密に切断しなくてもよく、それだけ、組付け作業が容易に行われる。
【００５９】
また、屋根を構成する他方向パイプＰ（Ｂ）が主クランパ１Ａに衝止することがないので、図６及び図７に示すように、他方向パイプＰ（Ｂ１）を延設でき、そのため、軒Ｎを形成することができるようになる。そのため、雨よけができることから出入口や窓の設置も容易になる。また、主クランパ１Ａにクランプした一方向パイプＰ（Ａ２）の外周面と、従クランパ１Ｂにクランプした他方向パイプＰ（Ｂ１）の外周面とが接触するので、一方向パイプＰ（Ａ２）に他方パイプＰ（Ｂ１）を支承して支持する関係を形成できるようになり、それだけ、パイプＰの組付け強度を増加させることができる。
【００６０】
次に、図９に示すように、例えば、屋根の裾縁端部Ｊ３の連結について説明する。図１３に示すように、屋根の裾縁端部Ｊ３では、屋根の裾縁を構成する一方向パイプＰ（Ａ３）と、小屋組を構成し屋根の傾斜に沿う一本の他方向パイプＰ（Ｂ２）と、小屋組を構成する横梁の他方向パイプＰ（Ｂ４）と、土台（地面）から立ち上がって柱を構成する他方向パイプＰ（Ｂ５）とが交差する。この場合、本発明の第三の実施の形態に係る連結金具Ｓ３を用いる。取付け方は、上記第二の実施の形態に係る連結金具Ｓ２と同様であり、その作用，効果も同様である。
【００６１】
また、その他の連結部においては、図１０乃至図１３に示すように、他の連結金具Ｓ４〜Ｓ９を適宜用いて行なう。このように連結金具Ｓ１〜Ｓ９により、パイプＰが重なり合って連結部が複雑になってしまう事態を防止することができ、連結部の構造が単純化され、その後の外装材の取付が容易にできるようになり、外観品質が大幅に向上させられる。
【００６２】
尚、本実施の形態に係る連結具Ｓ１，Ｓ２，Ｓ３においては、一度、連結金具Ｓ１〜Ｓ９を用いて組み立てたパイプの構造体Ｔに、更にパイプＰを組み込むときには、本発明の連結金具Ｓ１，Ｓ２，Ｓ３を用いてパイプＰを接合できる。この場合、各クランパ１は、主クランパ１Ａにおいては予めクランプ部２の固定片３がプレート２０に固定され、従クランパ１Ｂにおいてはクランプ部２の固定片３が被取付部１０Ｂを介してプレート２０に固定されるので、可動片５が自由に回動でき、そのため、一度組み立てたパイプの構造体Ｔにも可動片５を回動させて容易に取り付けることができ、それだけ汎用性が増す。特に、パイプＰを組み立てて構築される簡易ハウスにおいて、後から、部屋の間仕切りを行うためにパイプＰを連結するときは、極めて便利になる。
尚また、本実施の形態に係る連結金具Ｓ１，Ｓ２，Ｓ３は、パイプを４本連結可能に構成したが、必ずしもこれに限定されるものではなく、５本以上連結できるように従クランパ取付部３０を設けてよく、適宜変更して差支えない。
【図面の簡単な説明】
【００６３】
【図１】本発明の第一の実施の形態に係る簡易ハウスの骨組み用連結金具を示す斜視図である。
【図２】本発明の第一の実施の形態に係る簡易ハウスの骨組み用連結金具を示す正面図である。
【図３】本発明の第一の実施の形態に係る簡易ハウスの骨組み用連結金具におけるプレートを示し、（ａ）は正面図、（ｂ）は右側面図である。
【図４】本発明の実施の形態に係る簡易ハウスの骨組み用連結金具における主クランパの取り付け状態を示す拡大側面断面図である。
【図５】本発明の実施の形態に係る簡易ハウスの骨組み用連結金具の従クランパを示し、（ａ）は正面図、（ｂ）は底面図、（ｃ）は左側面図、（ｄ）は右側面図である。
【図６】本発明の第二の実施の形態に係る簡易ハウスの骨組み用連結金具を示す斜視図である。
【図７】本発明の第二の実施の形態に係る簡易ハウスの骨組み用連結金具を示す正面図である。
【図８】本発明の第二の実施の形態に係る簡易ハウスの骨組み用連結金具におけるプレートを示し、（ａ）は正面図、（ｂ）は右側面図である。
【図９】本発明の第三の実施の形態に係る簡易ハウスの骨組み用連結金具におけるプレートを示し、（ａ）は正面図、（ｂ）は右側面図である。
【図１０】本発明の実施の形態に係る簡易ハウスの骨組み用連結金具が適用される簡易ハウスの骨組みにおいて使用される別の連結金具を示す図である。
【図１１】本発明の実施の形態に係る簡易ハウスの骨組み用連結金具が適用される簡易ハウスの骨組みにおいて使用されるまた別の連結金具を示す図である。
【図１２】本発明の実施の形態に係る簡易ハウスの骨組み用連結金具が適用される簡易ハウスの骨組みにおいて使用される更に別の連結金具を示す図である。
【図１３】本発明の実施の形態に係る簡易ハウスの骨組み用連結金具の適用例を簡易ハウスの骨組みにおいて示す斜視図である。
【図１４】従来の簡易ハウスの骨組み用連結金具の一例を簡易ハウスの骨組みの適用例において示す斜視図である。
【符号の説明】
【００６４】
Ｓ１，Ｓ２，Ｓ３  連結金具
Ｓ４〜Ｓ９  別の連結金具
Ｔ  骨組み
Ｊ１〜Ｊ９  連結部
Ｐ  パイプ
Ｐ（Ａ），Ｐ（Ａ１），Ｐ（Ａ２）  一方向パイプ
Ｐ（Ｂ），Ｐ（Ｂ１），Ｐ（Ｂ２），Ｐ（Ｂ３），Ｐ（Ｂ４），Ｐ（Ｂ５）  他方向パイプ
１  クランパ
１Ａ  主クランパ
１Ｂ  従クランパ
２  クランプ部
３  固定片
４  ヒンジ
５  可動片
６  クランプボルト
７  係合部
８  ロックナット
１０Ａ  溶接
１０Ｂ  被取付部
１３  固定ボルト
１４  固定ナット
１５  位置決めピン
２０  プレート
２２  固定凹部
２３  ボルト挿入孔
２４  ピン挿入孔
３０  従クランパ取付部
３０Ａ  第１従クランパ取付部
３０Ｂ  第２従クランパ取付部
３０Ｃ  第３従クランパ取付部
【図１】
2007321506.tif 000003
【図２】
2007321506.tif 000004
【図３】
2007321506.tif 000005
【図４】
2007321506.tif 000006
【図５】
2007321506.tif 000007
【図６】
2007321506.tif 000008
【図７】
2007321506.tif 000009
【図８】
2007321506.tif 000010
【図９】
2007321506.tif 000011
【図１０】
2007321506.tif 000012
【図１１】
2007321506.tif 000013
【図１２】
2007321506.tif 000014
【図１３】
2007321506.tif 000015
【図１４】
2007321506.tif 000016